(57)【要約】【課題】海水にあるゴミを排除する効果が良く、そして設備の使用可能な寿命が長く延びる水族槽用ろ過システムを提供する。【解決手段】ベースと、ベースに鉛直に組み付けられたろ過円筒と、を有し、ろ過円筒の内部には、ポンプ装置が設けられ、ポンプ装置により、ベースの上板に強力なウォータビームを噴出し、又はろ過円筒の内部に気泡を押し入れることができ、これにより、水族槽内にある海水を清潔に保持することができる。【選択図】図２
0003156156.tif 000002
【実用新案登録請求の範囲】
【請求項１】
水族槽の内部に設けられ、ベースと、ろ過円筒と、ケーブルと、エアチューブと、を含む水族槽用ろ過システムにおいて、
前記ベースは、水族槽の底面に設けられる中空なプレートであり、その上板には、貫通孔が多数設けられ、その中空部分には、ろ過用スポンジが充填され、
前記ろ過円筒は、前記ベースに鉛直に組み付けられ、ケース構造を有し、前記ケース構造は、その内部の底層には、ポンプ装置が設けられ、その側面には、前記ポンプ装置の出口に応じてドレーン穴が設けられ、外壁面に設けられた押え板により、前記ドレーン穴を開閉することができ、前記ケース構造の内部の中層には、水が流れることが可能な、ろ過ケース装置と、ゴミ収集板と、が下方から上方に順次に設けられ、前記ゴミ収集板には、水が通過するための貫通孔が設けられ、前記ろ過円筒の正面と背面とには、前記ゴミ収集板に応じて水が通過するためのフェンス形状穴が多数設けられ、前記ケース構造の内部の上層には、前記ケース構造を密封する蓋が形成され、前記ろ過円筒の前記ポンプ装置の出口に対応する内側には、前記ろ過円筒の上層に延長する煙突構造が鉛直に設けられ、
前記ケーブルは、前記ポンプ装置と電気的に連接し、前記ポンプ装置に電力を供給し、
前記エアチューブは、水族槽の外部に設けられ、一端が前記ポンプ装置のエア吸入口と連接し、他端がエア調節弁と連接し、
前記押え板により前記ドレーン穴を閉鎖するときには、前記エア調節弁が開けられて、前記ポンプ装置により気泡が前記ろ過円筒の前記煙突構造に押し入れられて最上層に上昇し、これにより、水中の毒性物質が泡になって浮き上がって前記ゴミ収集板に収集され、ろ過された水が前記ベースから水族槽に流入し、
前記押え板により前記ドレーン穴を開けるときには、前記エア調節弁が閉鎖されて、前記ポンプ装置により強力なウォータビームが前記ドレーン穴から前記ベースの前記上板に噴出して渦を形成して、前記渦によりゴミが浮き上がって前記ろ過円筒の前記フェンス形状穴にろ過されることを特徴とする水族槽用ろ過システム。
【請求項２】
前記ろ過ケース装置は、上下に重ねる、第１ろ過ケースと、第２ろ過ケースと、を有し、前記第１ろ過ケースと第２ろ過ケースとの内部には、ろ過用スポンジが充填されることを特徴とする、請求項１に記載の水族槽用ろ過システム。
【請求項３】
前記ろ過円筒の前記ケース構造の上層に設けられた蓋は、透明な材料で作製されたものであることを特徴とする、請求項１に記載の水族槽用ろ過システム。
【請求項４】
前記ろ過円筒の前記ケース構造の底層には、Ｌ字形台座と、前記Ｌ字形台座を覆うＵ字形枠と、が形成され、前記ポンプ装置は前記ろ過円筒の前記ケース構造の底層に組み付けられ、前記ドレーン穴は、前記Ｌ字形台座の鉛直面に設けられることを特徴とする、請求項２に記載の水族槽用ろ過システム。
【請求項５】
前記ろ過円筒の前記ケース構造の中層には、一体成形された、上段部と、下段部と、から構成される中層部が形成され、前記上段部の断面積は前記下段部の断面積よりも大きく、前記下段部は、上から前記Ｕ字形枠を嵌合し、前記Ｕ字形枠と相対に伸縮可能であり、これにより、前記ろ過円筒の高さを調整可能であることを特徴とする、請求項４に記載の水族槽用ろ過システム。
【請求項６】
前記ろ過円筒の前記ケース構造の上層に設けられた蓋は、カバープレートと、矩形枠と、から構成され、前記矩形枠の底面には、前記中層部の上縁と嵌合する凸縁が設けられることを特徴とする、請求項５に記載の水族槽用ろ過システム。
【請求項７】
前記中層部の前記上段部と、前記Ｌ字形台座の鉛直面の外壁面と、にはスライド通路が設けられ、前記押え板は、これらの前記スライド通路に設けられ、上下に摺動自在であり、これにより、前記ドレーン穴を開閉可能にすることを特徴とする、請求項６に記載の水族槽用ろ過システム。
【請求項８】
前記煙突構造は、底段と、中段と、頂段と、から構成され、前記底段は前記Ｌ字形台座の鉛直面に設けられ、前記中段は前記中層部の前記上段部に設けられ、前記頂段は前記蓋の前記矩形枠に設けられ、前記底段は前記中段の底端に伸びる延長部を有し、前記頂段は前記中段の頂端に伸びる延長部を有することを特徴とする、請求項６に記載の水族槽用ろ過システム。
【請求項９】
前記ポンプ装置の底部には、前記ケーブルと電気的に連接しポンプに電力を供給する変圧器が設けられることを特徴とする、請求項１に記載の水族槽用ろ過システム。
【考案の詳細な説明】
【技術分野】
【０００１】
本考案は、水族槽用ろ過システムに関し、特に、海水をろ過する水族槽用ろ過システムに関するものである。
【背景技術】
【０００２】
従来の海水水族槽には、海水の水面にあるゴミを収集して排除するスキマー（skimmer）が設けられる。従来のスキマーの内部には、海水を吸入する吸上ポンプが設けられ、吸上げられる海水内にあるゴミがフィルタによってろ過される。従来のスキマーによれば、ゴミを排除する効果が良くなく、そして海水を吸込む通路が詰まりやすいので、設備の使用可能な寿命が短くなる。
【考案の概要】
【考案が解決しようとする課題】
【０００３】
本考案の主な目的は、海水内にあるゴミを排除する効果が良く、そして設備の使用可能な寿命が長く延びる水族槽用ろ過システムを提供することにある。
【課題を解決するための手段】
【０００４】
本考案の請求項１に記載の水族槽用ろ過システムによると、水族槽の内部に設けられる、ベースと、ろ過円筒と、ケーブルと、エアチューブと、を含む水族槽用ろ過システムにおいて、ベースは、水族槽の底面に設けられる中空なプレートであり、その上板には、貫通孔が多数設けられ、その中空部分には、ろ過用スポンジが充填される。ろ過円筒は、ベースに鉛直に組み付けられ、ケース構造を有し、ケース構造は、その内部の底層に、ポンプ装置が設けられ、その側面には、ポンプ装置の出口に応じてドレーン穴が設けられ、外壁面に設けられた押え板により、ドレーン穴を開閉することができ、ケース構造の内部の中層には、水の流れが可能な、ろ過ケース装置と、ゴミ収集板と、が下方から上方に順次に設けられ、ゴミ収集板には、水を通過するための貫通孔が設けられ、ろ過円筒の正面と背面とには、ゴミ収集板に応じて水を通過するためのフェンス形状穴が多数設けられ、ケース構造の内部の上層には、ケース構造を密封する蓋が形成され、ろ過円筒のポンプ装置の出口に対応する内側には、ろ過円筒の上層に延長する煙突構造が鉛直に設けられる。ケーブルは、ポンプ装置と電気的に連接し、ポンプ装置に電力を供給する。エアチューブは、水族槽の外部に設けられ、一端がポンプ装置のエア吸入口と連接し、他端がエア調節弁と連接し、押え板によりドレーン穴を閉鎖するときには、エア調節弁が開けられて、ポンプ装置により気泡がろ過円筒の煙突構造に押し入れられて最上層に上昇し、これにより、水中の毒性物質が泡になって浮き上がってゴミ収集板に収集され、ろ過された水がベースから水族槽に流入する。押え板によりドレーン穴を開けるときには、エア調節弁が閉鎖されて、ポンプ装置により強力なウォータビームがドレーン穴からベースの上板に噴出して渦を形成し、渦によりゴミが浮き上がってろ過円筒のフェンス形状穴にろ過されることを特徴とする水族槽用ろ過システムである。
【考案の効果】
【０００５】
本考案の水族槽用ろ過システムによれば、海水にあるゴミを排除する効果が良く、そして設備の使用可能な寿命が長く延びるという効果を有する。
【図面の簡単な説明】
【０００６】
【図１】本考案の一実施形態の水族槽用ろ過システムの斜視図である。
【図２】本考案の一実施形態のろ過円筒の分解斜視図である。
【図３】本考案の一実施形態の水族槽用ろ過システムの断面図である。
【図４】本考案の一実施形態である、水族槽用ろ過システム内の水の流れを示す模式図であって、ろ過円筒に気泡を押し入れる様子を示す。
【図５】本考案の一実施形態である、水族槽用ろ過システム内の水の流れを示す模式図であって、ベースの上板に強力なウォータビームを噴射する様子を示す。
【図６】図１におけるろ過円筒の鉛直の長さが調整された状態を示す模式図である。
【考案を実施するための形態】
【０００７】
以下、本考案の実施の形態を図面に基づいて説明する。
まず、図１から図３を参照する。本考案の一実施形態の水族槽用ろ過システム１は、図３に示すように、水族槽２の内部に設けられ、ベース１１と、ろ過円筒１２と、ケーブル１３と、エアチューブ１４と、を含む。
【０００８】
前記ベース１１は、水族槽２の底面に設けられ、中空なプレートであり、その上板１１１には、貫通孔１１２が多数設けられ、その中空部分には、図３に示すように、ろ過用スポンジ１１３が充填される。
【０００９】
前記ろ過円筒１２は、前記ベース１１に鉛直に組み付けられ、図２に示すように、ケース構造１２１を有し、前記ケース構造１２１は、その内部の底層には、ポンプ装置１２２が設けられ、その側面には、前記ポンプ装置１２２の出口１２２１に応じてドレーン穴１２３が設けられ、外壁面に設けられた押え板１２４により、前記ドレーン穴１２３を開閉することができる。前記ケース構造１２１の内部の中層には、水が流れることが可能な、ろ過ケース装置１２５と、ゴミ収集板１２６と、が下方から上方に順次に設けられ、前記ゴミ収集板１２６には、水が通過するための貫通孔が設けられ、前記ろ過円筒１２の正面と背面とには、前記ゴミ収集板１２６に応じて水が通過するためのフェンス形状穴１２７が多数設けられる。前記ケース構造１２１の内部の上層には、前記ケース構造１２１を密封する蓋１２１１が形成される。前記ろ過円筒１２の前記ポンプ装置１２２の出口１２２１に対応する内側には、前記ろ過円筒１２の上層に延長する煙突構造が鉛直に設けられる。
【００１０】
前記ケーブル１３は、前記ポンプ装置１２２と電気的に連接し、前記ポンプ装置１２２に電力を供給する。前記エアチューブ１４は、水族槽２の外部に設けられ、一端が前記ポンプ装置１２２のエア吸入口１２２２と連接し、他端がエア調節弁１４１と連接する。
【００１１】
前記ろ過ケース装置１２５は、上下に重ねる、第１ろ過ケース１２５ａと、第２ろ過ケース１２５ｂと、を有し、前記第１ろ過ケース１２５ａと第２ろ過ケース１２５ｂとの内部には、ろ過用スポンジ１２５ｃが充填される。
【００１２】
前記ケース構造１２１の底層には、Ｌ字形台座１２１２と、前記Ｌ字形台座１２１２を覆うＵ字形枠１２１３と、が形成され、前記ポンプ装置１２２は前記ケース構造１２１の底層に組み付けられ、前記ドレーン穴１２３は、前記Ｌ字形台座１２１２の鉛直面に設けられる。
【００１３】
前記ケース構造１２の中層には、一体成形された、上段部１２１４ａと、下段部１２１４ｂと、から構成される中層部１２１４が形成され、前記上段部１２１４ａの断面積は前記下段部１２１４ｂの断面積よりも大きく、前記下段部１２１４ｂは、上から前記Ｕ字形枠１２１３を嵌合し、前記Ｕ字形枠１２１３と相対に伸縮可能であり、これにより、前記ろ過円筒１２の高さを調整可能にする。図６を参照する。図６は図１におけるろ過円筒の鉛直長さが調整された状態を示す模式図である。
【００１４】
前記ケース構造１２１の上層に設けられた蓋１２１１は、透明な材料で作製されたものである。これにより、前記ゴミ収集板１２６の上でのゴムが除去されたかを容易に確認することができる。前記蓋１２１１は、カバープレート１２１１ａと、矩形枠１２１１ｂと、から構成され、前記矩形枠１２１１ｂの底面には、前記中層部１２１４の上縁と嵌合する凸縁１２１１ｃが設けられる。
【００１５】
前記中層部１２１４の前記上段部１２１４ａと、前記Ｌ字形台座１２１２の鉛直面の外壁面と、にはスライド通路１２９１、１２９２が設けられ、前記押え板１２４は、これらの前記スライド通路１２９１、１２９２に設けられ、上下に摺動自在であり、これにより、前記ドレーン穴１２３を開閉可能である。図４及び図５を参照する。図４は前記ドレーン穴１２３が閉鎖された状態であり、図５は前記ドレーン穴１２３が開けられた状態である。
【００１６】
図２及び図３を参照する。前記煙突構造は、底段１５１と、中段１５２と、頂段１５３と、から構成される。前記底段１５１は前記Ｌ字形台座１２１２の鉛直面に設けられ、前記中段１５２は前記中層部１２１４の前記上段部１２１４ａに設けられ、前記頂段１５３は前記蓋１２１１の前記矩形枠１２１１ｂに設けられる。前記底段１５１は前記中段１５２の底端に伸びる延長部１５１１を有し、前記頂段１５３は前記中段１５２の頂端に伸びる延長部１５３１を有する。
【００１７】
前記ポンプ装置１２２の底部には、前記ケーブル１３と電気的に連接しポンプ１２２４に電力を供給する変圧器１２２３が設けられる。
【００１８】
前記押え板１２４により前記ドレーン穴１２３を閉鎖するときには、図４に示すように、前記エア調節弁１４１が開けられて、前記ポンプ装置１２２により気泡が前記ろ過円筒１２の前記煙突構造に押し入れられて最上層に上昇し、なお、水が前記フェンス形状穴１２７から前記ろ過円筒１２に流入することにより、ゴミがゴミ収集板１２６に収集され、そして水は、前記ろ過ケース装置１２５を通過して、前記ベース１１の内部に設けられた前記ろ過用スポンジ１１３を通過して、前記上板１１１に設けられた貫通孔１１２を通過して水族槽２に流入する。
【００１９】
図５に示すように、前記押え板１２４により前記ドレーン穴１２３を開けるときには、前記エア調節弁１４１が閉鎖されて、エアが前記ポンプ装置１２２に進入しなくなる。なお、前記ポンプ装置１２２により強力なウォータビームが前記ドレーン穴１２３から前記ベース１１の前記上板１１１に噴出して渦を形成して、水中の毒性物質は、前記渦により泡になって浮き上がって、前記ろ過円筒１２の前記フェンス形状穴１２７に流入して、前記ろ過ケース装置１２５にろ過される。
【００２０】
上記の説明から明らかなように、本考案の一実施形態の水族槽用ろ過システムは、水族槽２の内部に設けられ、前記ベース１１に強力なウォータビームを噴射して渦を発生することにより、水中の毒性物質は、前記渦により泡になって浮き上がって、前記ろ過円筒１２にろ過され、且つ気泡を押し入れることにより、ゴミ（例えば泡になった蛋白質など）は、前記ゴミ収集板１２６に収集されて、除去が容易になり、水族槽２内の水を清潔に保持することができる。
【産業上の利用可能性】
【００２１】
本考案は、水族槽に適用することができ、特に、海水を収容する水族槽に適用することができる。
【符号の説明】
【００２２】
１：ろ過システム
２：水族槽
１１：ベース
１２：ろ過円筒
１３：ケーブル
１４：エアチューブ
１１１：上板
１１２：貫通孔
１１３：ろ過用スポンジ
１２１：ケース構造
１２２：ポンプ装置
１２３：ドレーン穴
１２４：押え板
１２５：ろ過ケース装置
１２５ａ：第１ろ過ケース
１２５ｂ：第２ろ過ケース
１２５ｃ：ろ過用スポンジ
１２６：ゴミ収集板
１２７：フェンス形状穴
１４１：エア調節弁
１５１：底段
１５２：中段
１５３：頂段
１２１１：蓋
１２１１ａ：カバープレート
１２１１ｂ：矩形枠
１２１１ｃ：凸縁
１２１２：Ｌ字形台座
１２１３：Ｕ字形枠
１２１４：中層部
１２１４ａ：上段部
１２１４ｂ：下段部
１２２１：出口
１２２２：エア吸入口
１２２３：変圧器
１２２４：ポンプ
１２９１，１２９２：スライド通路
１５１１：延長部
１５３１：延長部
【図１】
0003156156.tif 000003
【図２】
0003156156.tif 000004
【図３】
0003156156.tif 000005
【図４】
0003156156.tif 000006
【図５】
0003156156.tif 000007
【図６】
0003156156.tif 000008